【手続補正書】
【提出日】平成18年2月21日(2006.2.21)
【手続補正１】
【補正対象書類名】明細書
【補正対象項目名】００１１
【補正方法】変更
【補正の内容】
【００１１】
図４２に、特許文献１に開示されたシステムの概要を示す。図４２を参照して、このシステムは、公衆回線により無線ネットワーク１０５に接続可能な携帯電話９０２と、無線ネットワーク１０５及びネットワーク１０４に接続された電子メールサーバ９００と、ネットワーク１０４を介して電子メールサーバ９００に接続可能な録画機器９０４とを含む。録画機器９０４はリモートコントローラ９０６を有する。録画機器９０４にはＴＶモニタ９０８が接続される。
【手続補正２】
【補正対象書類名】明細書
【補正対象項目名】００１２
【補正方法】変更
【補正の内容】
【００１２】
このようなメールに録画予約命令を含める方式では、携帯電話９０２のユーザは、図４３に示すようなフォーマットの電子メールを電子メールサーバ９００を録画機器９０４宛てに送信する。この電子メールは電子メールサーバ９００に一旦蓄積される。録画機器９０４は、定期的に電子メールサーバ９００の自分専用のメールボックスにアクセスし、この電子メールを読み出す。電子メールが録画予約である場合には、録画機器９０４はその電子メール本文に記載された予約内容にしたがって番組録画の予約処理を実行する。
【手続補正３】
【補正対象書類名】明細書
【補正対象項目名】００１３
【補正方法】変更
【補正の内容】
【００１３】
なお、特許文献１に記載のシステムでは、録画機器９０４が文字放送の受信チューナを備え、文字放送によって受信した番組情報を電子メールで携帯電話９０２に送信する。携帯電話９０２のユーザはこの情報を見て番組予約を行なう。
【手続補正４】
【補正対象書類名】明細書
【補正対象項目名】００１４
【補正方法】変更
【補正の内容】
【００１４】
携帯電話９０２はあくまでもそのユーザ個人のものであるから、このシステムによれば、携帯電話９０２を録画機器９０４に対する個人用のリモートコントローラとして使うことができる。携帯電話は無線ネットワークで電子メールサーバ９００に接続されているため、録画機器９０４のあるリビングルームで携帯電話９０２を操作することもできる。またユーザが携帯電話９０２をもって移動中であっても録画機器９０４を操作することができる。したがって、録画機器９０４を直接操作したり、リモートコントローラ９０６を用いて操作することなく、携帯電話９０２で全て操作できる。
【手続補正５】
【補正対象書類名】明細書
【補正対象項目名】００１５
【補正方法】変更
【補正の内容】
【００１５】
なお、電子メールサーバ９００に加えて、携帯電話９０２に対して番組情報を提供するためのサーバを設けてもよい。この場合、サーバのサービスを携帯電話ブラウザによって利用し、録画機器を制御するには次のようにする。すなわち、まず携帯電話９０２を使用してサーバに接続し、サービスに申込む。サーバはこの申込みに対してユーザ専用のログイン用ＵＲＬ（Ｕｎｉｆｏｒｍ  Ｒｅｓｏｕｒｃｅ  Ｌｏｃａｔｏｒ）等の認証用情報を作成し、携帯電話９０２に送信する。携帯電話はこの認証用情報を取得し、以後のサーバアクセスにはそのＵＲＬを利用する。これにより、サーバは携帯電話９０２のユーザを識別できる。
【手続補正６】
【補正対象書類名】明細書
【補正対象項目名】００１６
【補正方法】変更
【補正の内容】
【００１６】
このようにしてサーバのサービスが携帯電話から利用可能となれば、次に録画機器９０４とサーバのサービスとを結びつける必要がある。このためには、該当携帯電話９０２で操作可能なサービスの接続管理情報を、録画機器９０４に設定しなければならない。この接続管理情報として、例えば電子メールサーバ９００のサーバアドレス、録画機器９０４が電子メールサーバ９００をアクセスする場合のアカウント情報などを設定しなければならない。
【手続補正７】
【補正対象書類名】明細書
【補正対象項目名】００２１
【補正方法】変更
【補正の内容】
【００２１】
この手順はサービスを利用する上で煩雑であり、間違いがおきやすい。通常、録画機器９０４を操作する場合、リモートコントローラ９０６を入力手段とし、ＴＶモニタ９０８の画面を表示部としている。そのため、サーバ９００の携帯電話サービスを関連づけて録画機器に登録する設定項目が多岐にわたると、設定作業が困難である。
【手続補正８】
【補正対象書類名】明細書
【補正対象項目名】００２３
【補正方法】変更
【補正の内容】
【００２３】
これら情報は録画機器だけでなくネットワークの仕組みについてある程度の知識がなければ正確に管理することが難しく、そもそもそうした情報をユーザが調査することも難しい。また仮にそれらの情報が全て手元に揃ったとしても、それを正しく録画機器９０４に設定することは決して容易ではない。特にパスワード等の入力時には、画面は非表示とされることが通常であるから、入力誤りのチェックは困難である。設定すべき情報が多岐にわたるので、仮に入力誤りがあり録画予約が行なえない場合、どこで誤ったかを突き止めるのも困難である。
【手続補正９】
【補正対象書類名】明細書
【補正対象項目名】００２５
【補正方法】変更
【補正の内容】
【００２５】
さらに、特許文献１に開示の技術では、ある録画機器に対する複数の録画予約によって同じ時刻に別のチャンネルの番組を録画する場合、当該録画機器が有するチューナ数が足りないと、録画予約できないという問題がある。こうした場合でも可能な限り番組予約を生かして、番組を録画できるようにすることが望ましい。
【手続補正１０】
【補正対象書類名】明細書
【補正対象項目名】００９１
【補正方法】変更
【補正の内容】
【００９１】
図２に、システム加入時のシステム１００の動作の概略を示す。図２を参照して、最初に、番組情報サービスプロバイダサーバ１０２は後述するようにＷＷＷサーバを持ち、携帯電話１１２のブラウザに対してサービス申込み画面（図示せず）を提供することができる。このためには例えば、携帯電話から所定のＵＲＬ（ｈｔｔｐ：／／ＥＰＧｓｅｒｖｉｃｅ／ｌｏｇｉｎ／）にアクセスする。このとき、携帯電話でユーザが携帯電話キャリアの提示する課金条件画面に暗証番号を入力して有料サービスに加入することに同意するステップを設けてもよい。
【手続補正１１】
【補正対象書類名】明細書
【補正対象項目名】０１０３
【補正方法】変更
【補正の内容】
【０１０３】
図５に示す各部のうち、無線ネットワークＩ／Ｏ２２０及びＩｒ送受信部２１８が図４のネットワークＩ／Ｆ部１９２に相当する。また不揮発メモリ２２２及びＣＰＵ２１２が図４のＨＴＭＬブラウザ部１９４及びメール送受信部１９８に相当する。図５のメモリ２１４が図４のＵＲＬ記億部１９６及びメール記憶部２００に相当する。さらに、図５の表示部２１６及びキー入力部２２４がそれぞれ図４の表示部２０２及びキー入力部１９０に相当する。
【手続補正１２】
【補正対象書類名】明細書
【補正対象項目名】０１１８
【補正方法】変更
【補正の内容】
【０１１８】
その他、本実施の形態では、図７のアカウント情報構造体は、このサービスを識別するための文字列をサービス名として含む。また、アカウント情報構造体が、サーバのサービスを識別する画像へのＵＲＬアドレスを含んでいてもよい。図７の例では“テレビナビゲーション”という文字列がサービス名を表している。
【手続補正１３】
【補正対象書類名】明細書
【補正対象項目名】０１２６
【補正方法】変更
【補正の内容】
【０１２６】
図６に示す番組情報サービスプロバイダサーバ１０２がサービス申込みのために用意したＨＴＭＬ文書の例を図８に示す。図８を参照して、このＨＴＭＬ文書には、電子メールプログラムを起動するためのタグである「ｍａｉｌｔｏ」が含まれている。この文書は、ユーザからの申込みがこのＨＴＭＬ文書からの電子メール送信で行なわれることを期待しているものである。
【手続補正１４】
【補正対象書類名】明細書
【補正対象項目名】０１５７
【補正方法】変更
【補正の内容】
【０１５７】
図１８に示す表示部４８６は図１７の表示管理部４４８に相当する。Ｉｒ送受信部４８８は図１７のリモコン管理部４６６及びＩｒＤＡ管理部４６８に相当する。ビデオエンコーダ・デコーダ部４９４は図１７のビデオエンコーダ・デコーダ部４４４に相当する。チューナ部４９６は図１７の放送受信部４４２に相当する。さらに、メモリ４８４及びハードディスク４９８が、録画済ビデオデータ蓄積部４４６、番組情報サービスサーバＤＢ４５８、録画予約ＤＢ４５４、及びアカウント情報記憶部４７０に相当する。
【手続補正１５】
【補正対象書類名】明細書
【補正対象項目名】０１６５
【補正方法】変更
【補正の内容】
【０１６５】
再び図２０を参照して、ステップ５１２では、フォーカスのあたっているアカウントで入力待ちの状態となる。何か入力がされると、ステップ５１４でアカウント番号入力が完了したか否かを判定する。完了した場合には制御はステップ５１６に進む。さもなければ制御はステップ５１２に戻る。
【手続補正１６】
【補正対象書類名】明細書
【補正対象項目名】０１７４
【補正方法】変更
【補正の内容】
【０１７４】
この手順において、アカウント番号以外に録画機器の個体識別情報をサーバ１０２の録画機器管理部２４４に送っている。このため録画機器管理部２４４は、以後の制御において録画機器１０６の機種依存機能を利用した録画制御を行うことができる利点がある。例えば、ＭＡＫＥＲ１−ＨＤＤ９０００という製品では画質や音質、記録先（ハードディスクかＤＶＤか）などの選択ができるとすれば、サーバ１０２の録画機器管理部２４４では、携帯電話ブラウザの録画予約画面において画質、音質、記録先の選択肢をユーザに選択させて、それをメール録画予約コマンドに拡張機能として送出することができる。例えば録画予約コマンドが「Ｏｐｅｎ ２６４５７５  ＴＶ ＳＣ５０３ １３００ １３３０ １０３１  “ＶＳ Ａ１ ＳＨ”」のときＶｉｄｅｏ画質はＳＰ（高画質モード）、ＡｕｄｉｏはＤ１音質、記録先はハードディスク（Ｈ）と指定するオプションをメール録画予約コマンドに追加すればよい。
【手続補正１７】
【補正対象書類名】明細書
【補正対象項目名】０１８９
【補正方法】変更
【補正の内容】
【０１８９】
図２３は、図１７に示す録画予約ＤＢ４５４の構造を示す。図２３を参照して、録画予約ＤＢ４５４は、アカウントごと及び録画予約ごとの録画予約レコード５９０、５９２などを記憶している。本実施の形態では、各レコードは、アカウント番号と、携帯メールアドレスと、録画予約の内容を示す情報（時刻及びチャンネル）と、録画済みか否かを示すフラグとを含む。
【手続補正１８】
【補正対象書類名】明細書
【補正対象項目名】０２０３
【補正方法】変更
【補正の内容】
【０２０３】
‐動作‐
以上において構成を説明したこのシステム１００は以下のように動作する。最初に、ユーザが番組情報サービスプロバイダサーバ１０２のサービスに加入する場合の手順及び各部の動作について説明する。
【手続補正１９】
【補正対象書類名】明細書
【補正対象項目名】０２０４
【補正方法】変更
【補正の内容】
【０２０４】
図２７に、この場合に番組情報サービスプロバイダサーバ１０２、携帯電話１１２、及び録画機器１０６の間で通信される信号ダイアグラムを示す。図２７を参照して、まず最初に、ユーザが携帯電話１１２を用いて番組情報サービスプロバイダサーバ１０２のサービス入口画面にアクセスする（６７０）。番組情報サービスプロバイダサーバ１０２はこのアクセスを処理し、ワンタイム文字列を作成して（６７２）、このワンタイム文字列を含むサービス申込み画面のＨＴＭＬテキストを携帯電話１１２に送信する（６７４）。サービス申込み画面の例を図２８に示す。
【手続補正２０】
【補正対象書類名】明細書
【補正対象項目名】０２１０
【補正方法】変更
【補正の内容】
【０２１０】
アカウント情報を受信した録画機器１０６は、番組情報サービスプロバイダサーバ１０２への接続のために必要なアカウント情報構造体の各項目をこのアカウント情報に基づいて設定する（６９０）。
【手続補正２１】
【補正対象書類名】明細書
【補正対象項目名】０２１３
【補正方法】変更
【補正の内容】
【０２１３】
携帯電話ユーザは、表示された携帯電話ログイン用ＵＲＬを、図４に示す携帯電話１１２のＵＲＬ記億部１９６に記憶しているものとする。サーバ１０２の録画機器管理部２４４はこのＵＲＬのアクセスを受けると、ユーザアカウント管理部２５０を検索し、アカウントが存在するかどうか調べる。存在すれば図３のように携帯電話ユーザ向けにＨＴＭＬブラウザでアクセス可能な番組情報ページを表示する。この携帯電話ログイン用ＵＲＬを知らない他のユーザはこのＵＲＬにアクセスできないので安全である。
【手続補正２２】
【補正対象書類名】明細書
【補正対象項目名】０２１７
【補正方法】変更
【補正の内容】
【０２１７】
操作の具体例を示す。携帯電話ブラウザが番組紹介ページをアクセスし図３の画面１６４を表示する。ユーザが番組リンクをクリックし、表示された録画メール予約リンク［メール録画］をクリックすれば携帯電話ブラウザからは録画予約メール発行要求がサーバ１０２に発行され、サーバ１０２は予め登録された録画メールアドレスに録画予約メール１８０を発行し、メール蓄積部２５６に蓄積される。
【手続補正２３】
【補正対象書類名】明細書
【補正対象項目名】０２２０
【補正方法】変更
【補正の内容】
【０２２０】
録画機器は以下のようにしてメール読み出しを行なう。図３の録画機器１０６は、特定のサーバ１０２のメールアカウントに対しメール読出しを定期的に行う。読出したメールの文に録画命令が記述してあれば、録画機器１０６は録画命令通りの時刻から、指定時間分、特定チャンネルに対してチューニングして録画を行なう。
【手続補正２４】
【補正対象書類名】明細書
【補正対象項目名】０２２６
【補正方法】変更
【補正の内容】
【０２２６】
サーバの負荷分散のためタイマ起動時刻を次のように設定することもできる。録画機器１０６のタイマ時刻は、サービス側の録画機器管理部２４４（図６）に設定を保持し、ＰＯＰ接続時に取得するようにして、随時サービス側から変更できるように実装してもよい。これにより、番組情報サービスプロバイダサーバ１０２の負荷分散を図ることや、ユーザ毎の望む時間に起動することができる利点がある。
【手続補正２５】
【補正対象書類名】明細書
【補正対象項目名】０２２９
【補正方法】変更
【補正の内容】
【０２２９】
同じアカウントが複数の録画機器に設定されていてもＰＯＰサーバはそのプロトコルの性質により、同じメールアカウントでは同時にログインすることはできず排他制御される。したがって、複数の録画機器から同じメールアカウントを読出すことが可能である。これにより同じアカウントで複数の録画機器を制御でき、録画予約はいずれか一台の録画機器で予約が成功するよう処理される。録画機器全体としてのハードディスクの効率的な利用や、同時に異なるチャンネルの番組を録画できるなどの利点がある。この詳細は後述する。
【手続補正２６】
【補正対象書類名】明細書
【補正対象項目名】０２３８
【補正方法】変更
【補正の内容】
【０２３８】
このとき、録画機器の個体識別情報をメールに付加して通知してもよい。この場合、サーバはどの録画機器で録画成功したか認識できる。したがってサーバは図３３の『他のユーザの録画予約』リンクをクリックした時のように、個体識別情報をもとに、複数の携帯電話からの録画予約状況全般を録画機器単位で集約的に把握でき、録画予約状況を個別の携帯に通知できる利点がある。例えば二つの携帯電話からのアカウントによる録画予約がサーバに集約管理されることで、一方のアカウントのユーザは、他方のアカウントのユーザの録画予約状況も含めて携帯電話で確認できる。
【手続補正２７】
【補正対象書類名】明細書
【補正対象項目名】０２４０
【補正方法】変更
【補正の内容】
【０２４０】
録画機器１０６からサーバ１０２への予約情報の送信には、予約の削除やリモコン操作による予約情報も含めてよい。この場合サーバ側は、録画機器の予約状況を完全に把握できる。サーバ１０２が録画機器の予約状況を完全に把握できていれば、携帯電話からチャンネルが異なるのに録画時間が重なっている予約をいれようとした段階でエラー表示できるなどの利点がある。
【手続補正２８】
【補正対象書類名】明細書
【補正対象項目名】０２４１
【補正方法】変更
【補正の内容】
【０２４１】
録画予約は以下のように処理される。図１７に示すタイマー部４６２が録画予約時間になると録画管理部４５０を起動し、放送受信部４４２のチャンネルを制御して、ビデオエンコーダ・デコーダ部４４４を制御して録画ビデオデータを作成する。録画管理部４５０は、録画予約ＤＢ４５４にてアカウント情報と関連付けられた予約情報の録画済フラグをオンにする。
【手続補正２９】
【補正対象書類名】明細書
【補正対象項目名】０２４２
【補正方法】変更
【補正の内容】
【０２４２】
さらに本実施の形態において、複数の携帯電話がそれぞれサーバに申し込みをし、得たアカウント番号を１台の録画機器に登録しておけば、図３３に示すように一台の録画機器１０６に対して複数の携帯電話１１２Ａ、１１２Ｂからそれぞれ録画予約操作できる。したがって１台の録画機器１０６を家族で各自の保有する携帯電話を使ってそれぞれのアカウントをサーバに作成し、録画予約を入れることが簡単にできる。
【手続補正３０】
【補正対象書類名】明細書
【補正対象項目名】０２５０
【補正方法】変更
【補正の内容】
【０２５０】
図３２を参照して、このシステムは、ＴＶモニタ１１０が接続され、リモートコントローラ１０８を持つ録画機器１０６を含む。録画機器１０６はネットワーク１０４に接続可能である。このシステムはさらに、いずれもネットワーク１０４を介して録画機器１０６と通信可能な二つの番組情報サービスプロバイダサーバ１０２Ａ及び１０２Ｂと、番組情報サービスプロバイダサーバ１０２Ａを利用するユーザの携帯電話１１２Ａと、番組情報サービスプロバイダサーバ１０２Ｂを利用するユーザの携帯電話１１２Ｂとを含む。携帯電話１１２Ａ及び１１２Ｂは、無線ネットワーク１０５を介してそれぞれ番組情報サービスプロバイダサーバ１０２Ａ、１０２Ｂと通信可能とする。
【手続補正３１】
【補正対象書類名】明細書
【補正対象項目名】０２５９
【補正方法】変更
【補正の内容】
【０２５９】
さらに、本実施の形態に係る番組情報サービスプロバイダサーバ１０２、録画機器１０６及び携帯電話１１２によれば、番組情報サービスプロバイダサーバ１０２の録画予約レコードにはアカウント番号が含まれる。したがって、複数台の録画機器１０６を、１台の携帯電話１１２に対応するアカウントにより制御できる。
【手続補正３２】
【補正対象書類名】明細書
【補正対象項目名】０２６１
【補正方法】変更
【補正の内容】
【０２６１】
例えば、図３５に示すように、システムが複数の録画機器１０６Ａ及び１０６Ｂを含み、これらを制御するための複数の携帯電話１１２Ａ及び１１２Ｂが使用されるものとする。録画機器１０６Ａ及び１０６Ｂの双方にアカウント番号「３２５９  １１３１  １３２４ ４１４０」と「３１２４  ０９３８  ２３２１  ４５４７」とが登録されているものとする。このうち前者は携帯電話１１２Ｂに対応するものであり、後者は携帯電話１１２Ａに対応するものとする。
【手続補正３３】
【補正対象書類名】明細書
【補正対象項目名】０２７３
【補正方法】変更
【補正の内容】
【０２７３】
本実施の形態に係る番組情報サービスプロバイダサーバ１０２、録画機器１０６を用いたシステムは、操作端末である携帯電話が加入したサーバ以外からも利用可能である。そのために、携帯電話のユーザから要求があれば、番組情報サービスプロバイダサーバ１０２はその携帯電話に対応するアカウント情報を携帯電話に返信し、携帯電話のＨＴＭＬブラウザに表示させるようにする。
【手続補正３４】
【補正対象書類名】明細書
【補正対象項目名】０２７４
【補正方法】変更
【補正の内容】
【０２７４】
図３７に、アカウント情報のうち録画メールアドレスと録画予約用パスワードとを携帯電話１１２の画面７９６に表示した例を示す。この情報は、携帯電話１１２にアカウント情報要求の画面７９０を表示させ、「はい」の部分をクリックすることにより、アカウント情報の要求７９２が番組情報サービスプロバイダサーバ１０２に送られる。番組情報サービスプロバイダサーバ１０２は、この要求に応答して、アカウント情報７９４を携帯電話１１２に返信する。携帯電話１１２がこのアカウント情報を画面７９６として表示する。
【手続補正３５】
【補正対象書類名】明細書
【補正対象項目名】０２７７
【補正方法】変更
【補正の内容】
【０２７７】
録画メールアカウント名と録画メールパスワードによりアカウント情報が特定され、録画予約用パスワード、録画予約メールアドレス及びＰＯＰ／ＳＭＴＰメールサーバも特定される。したがってユーザはパーソナルコンピュータ７９８を介してＨＴＭＬ番組表から携帯電話同様録画予約メールを発行することも可能になる。図３７の画面８２０に表示された『メール録画予約』をクリックすると、携帯電話による操作時と同様、録画予約メールがパーソナルコンピュータ７９８からサーバ１０２のメールサーバ部に送信される（８１８）。このメールはさらに、録画機器１０６による録画予約メールのチェック時に、録画機器１０６に送信される（８２０）。
【手続補正３６】
【補正対象書類名】明細書
【補正対象項目名】０２８６
【補正方法】変更
【補正の内容】
【０２８６】
本実施の形態によると、さらに以下のような波及効果が得られる。すなわち、携帯電話によるウェブブラウザでは、携帯網側で用意された認証システムを利用して有料サービスに加入できる。有料サービスのサーバは携帯網のゲートウェイ管理者と契約すればよい。このアカウントは、携帯電話に対するサーバのサービスを起点にしており、番組情報サービスが有料サービスであれば、本実施の形態により開示された簡単な手順により、その有料サービスを録画機器で受けることが可能になる。
価格の異なるサービスが同一のサーバコンピュータで行われていても、本実施の形態の方法で携帯電話からそれぞれの有料サービスに加入し、アカウント番号を録画機器に入力することで、そのサービスを簡単に録画機器１０６で受けられる。したがって録画機器１０６には何らの課金機構もいらない。
【手続補正３７】
【補正対象書類名】図面
【補正対象項目名】図１７
【補正方法】変更
【補正の内容】
【図１７】
2005216448.tif 000001
【手続補正３８】
【補正対象書類名】図面
【補正対象項目名】図２２
【補正方法】変更
【補正の内容】
【図２２】
2005216448.tif 000002
【手続補正３９】
【補正対象書類名】図面
【補正対象項目名】図２４
【補正方法】変更
【補正の内容】
【図２４】
2005216448.tif 000003